【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
ソース機器からシンク機器にコンテンツデータをパケット無線伝送し、当該パケット無線伝送の帯域管理を行う帯域管理手段を備えた無線通信システムのためのパケット往復時間ＲＴＴの判定方法において、
上記ソース機器は、上記シンク機器へのパケット往復時間ＲＴＴがコンテンツ保護規格が指定する時間を満たす機器か否かを判定するときに、
上記ソース機器から上記シンク機器に第１のパケットを送信するための第１の予約期間と上記シンク機器から上記ソース機器に第２のパケットを返信するための第２の予約期間とを割り当てを要求するパラメータであって、上記第１の予約期間の開始点から前記第２の予約期間の終端までの時間が上記コンテンツ保護規格が指定する時間以内に割り当てられるよう指定する上記パラメータを含む帯域幅要求コマンドを上記帯域管理手段に送信し、
上記帯域管理手段は、受信した上記帯域幅要求コマンドの上記パラメータに基づいて上記第１の予約期間と上記第２の予約期間とを所定のフレーム期間内に割り当て、上記第１及び上記第２の予約期間を上記ソース機器と上記シンク機器とに通知し、
上記ソース機器は、上記第１の予約期間内の第１のタイミングにおいて上記第１のパケットを送信し、
上記シンク機器は上記第２の予約期間において上記第２のパケットを返信し、
上記ソース機器は上記第２のパケットを受信した第２のタイミングを用いて上記シンク機器へのパケット往復時間ＲＴＴが上記コンテンツ保護規格が指定する時間より短いか否かを判定する、
パケット往復時間ＲＴＴの判定方法。
【請求項２】
上記ソース機器は、上記第１のパケットの送信と上記第２のパケットの返信とが、上記第１の予約期間と上記第２の予約期間内になるように、上記帯域要求コマンドの上記パラメータを選択する、
請求項１記載のパケット往復時間ＲＴＴの判定方法。
【請求項３】
上記ソース機器は、上記第１の予約期間の開始点から前記第２の予約期間の終端までの時間を、第１の予約期間の先頭から第２の予約期間の先頭までの最大値を示す最大のスケジュール期間と上記第２の上記予約期間の長さを示すタイムブロックの継続時間とで指定する上記パラメータを生成する、
請求項２記載のパケット往復時間ＲＴＴの判定方法。
【請求項４】
上記ソース機器は、上記パラメータに上記第１の予約期間と上記第２の予約期間とをペアとして指定するパラメータを含み、
上記第２の予約期間は上記第１の予約期間と同じ時間長として指定される、
請求項３記載のパケット往復時間ＲＴＴの判定方法。
【請求項５】
上記シンク機器は、上記ソース機器が予約した上記第２の予約期間に上記第２のパケットを返信する、
請求項４記載のパケット往復時間ＲＴＴの判定方法。
【請求項６】
コンテンツデータをパケット無線伝送し、当該パケット無線伝送の帯域管理を行う帯域管理手段を備えた無線通信システムで用いられるソース機器であって、
入力されたデータ並びに制御コマンドをパケット形式のデジタル信号に変換し無線搬送波信号をデジタル変調するとともに、受信された無線信号をデジタル信号に復調した後、当該デジタル信号から所定のパケット分離処理により制御コマンドを抽出する無線通信回路と、
上記無線通信回路の動作を制御する制御部と、
を含み、
上記制御部は、
所定のシンク機器へのパケット往復時間ＲＴＴがコンテンツ保護規格が指定する時間を満たす機器か否かを判定するときに、
上記シンク機器に第１のパケットを送信するための第１の予約期間と上記シンク機器から上記ソース機器に第２のパケットを返信するための第２の予約期間とを割り当てを要求するパラメータであって、上記第１の予約期間の開始点から前記第２の予約期間の終端までの時間が上記コンテンツ保護規格が指定する時間以内に割り当てられるよう指定する上記パラメータを含む帯域幅要求コマンド信号を上記帯域管理手段に対して送出するよう上記無線通信回路に指示し、
上記帯域要求コマンド信号に応じ上記帯域管理手段により割り当てられた上記第１の予約期間をビーコン信号から取得し、
上記第１の予約期間内の第１のタイミングにおいて上記第１のパケットを送信するよう上記無線通信回路に指示し、
上記ビーコン信号により指定された上記第２の予約期間内に受信される上記第２のパケットを受信した第２のタイミングを用いて、上記シンク機器へのパケット往復時間ＲＴＴが上記コンテンツ保護規格が指定する時間より短いか否かを判定する、
ソース機器。
【請求項７】
上記制御部は、上記第１のパケットの送信時間と上記第２のパケットの返信とが、各々上記第１の予約期間と上記第２の予約期間内になるように、上記第１のパケット及び第２のパケットの長さと、上記無線通信回路が上記パケットを伝送する伝送速度とに基づいて上記第１の予約期間の長さを決定する、
請求項６記載のソース機器。
【請求項８】
上記制御部は、上記第１の予約期間の長さを第１のパケットの長さのパケットの伝送に要する時間以上に指定する請求項７記載のソース機器。
【請求項９】
上記制御部は、上記第１のパケットの送信に要する時間と次のパケットが送信許可されるまでの時間ＳＩＦＳ（Ｓｈｏｒｔ  Ｉｎｔｅｒｆｒａｍｅ  Ｓｐａｃｉｎｇ）とＡＣＫ（Ａｃｋｎｏｗｌｅｄｇｅ）との合計が、上記予約期間の長さ以上となる場合に、前記第１のパケットにＡＣＫ無しのポリシーを適用する、
請求項７または８のいずれか１項に記載のソース機器。
【請求項１０】
上記ソース機器は、更に、上記無線通信回路から入力された信号を複数の通信モードにより無線送信するアレーアンテナ装置を含み、
上記制御部は、
上記アレーアンテナ装置と上記無線通信回路との動作を制御し、
上記アレーアンテナ装置の通信モードに応じて、第１のパケットの長さのパケットの伝送に要する時間を導出する、
請求項８記載のソース機器。
【請求項１１】
上記制御部は、上記帯域幅要求コマンド信号に上記第１の予約期間と上記第２の予約期間とをペアとし上記第２の予約期間は上記第１の予約期間と同じ時間長として指定するパラメータを生成し、上記無線通信回路に入力する、
請求項６乃至１０のいずれか１項に記載のソース機器。
【請求項１２】
上記制御部は、上記第１の予約期間の開始点から前記第２の予約期間の終端までの時間を固定値として保持し、第１の予約期間の先頭から第２の予約期間の先頭までの最大値を示す最大のスケジュール期間と上記第２の上記予約期間の長さを示すタイムブロックの継続時間とで指定する上記パラメータを生成する、
請求項６乃至１０のいずれか１項に記載のソース機器。
【請求項１３】
上記制御部は、上記コンテンツのコンテンツデータの著作権管理を行う制御部に指示された時刻を、上記第１の予約期間の開始点から前記第２の予約期間の終端までの時間とし、第１の予約期間の先頭から第２の予約期間の先頭までの最大値を示す最大のスケジュール期間と上記第２の上記予約期間の長さを示すタイムブロックの継続時間とで指定する上記パラメータを生成する、
請求項６乃至１０のいずれか１項に記載のソース機器。
【請求項１４】
コンテンツデータをパケット無線伝送し当該パケット無線伝送の帯域管理を行う帯域管理手段を備えた無線通信システムで用いられるソース機器において、無線通信回路とともに用いられる制御装置であって、
上記無線通信回路は、入力されたデータ並びに制御コマンドをパケット形式のデジタル信号に変換し無線搬送波信号をデジタル変調するとともに、受信された無線信号をデジタル信号に復調した後、当該デジタル信号から所定のパケット分離処理により制御コマンドを抽出するものであって、
上記制御装置は、所定のシンク機器へのパケット往復時間ＲＴＴがコンテンツ保護規格が指定する時間を満たす機器か否かを判定することを指示されたときに、
上記シンク機器に第１のパケットを送信するための第１の予約期間と上記シンク機器から上記ソース機器に第２のパケットを返信するための第２の予約期間とを割り当てを要求するパラメータであって、上記第１の予約期間の開始点から前記第２の予約期間の終端までの時間が上記コンテンツ保護規格が指定する時間以内に割り当てられるよう指定する上記パラメータを含む帯域幅要求コマンド信号を上記帯域管理手段に対して送出するよう上記無線通信回路に指示し、
上記帯域要求コマンド信号に応じ上記帯域管理手段により割り当てられた上記第１の予約期間をビーコン信号から取得し、
上記第１の予約期間内の第１のタイミングにおいて上記第１のパケットを送信するよう上記無線通信回路に指示し、
上記ビーコン信号により指定された上記第２の予約期間内に受信される上記第２のパケットを受信した第２のタイミングを用いて、上記シンク機器へのパケット往復時間ＲＴＴが上記コンテンツ保護規格が指定する時間より短いか否かを判定する、
制御装置。
【手続補正２】
【補正対象書類名】明細書
【補正対象項目名】発明の名称
【補正方法】変更
【補正の内容】
【発明の名称】パケット往復時間ＲＴＴの判定方法、ソース機器及び制御装置
【手続補正３】
【補正対象書類名】明細書
【補正対象項目名】０００１
【補正方法】変更
【補正の内容】
【０００１】
本発明は、パケット往復時間（以下、ＲＴＴ（Round Trip Time）という。）の判定方法ならびにそれを用いたソース機器及び制御装置に関し、特に、例えば著作権の保護が必要なコンテンツデータのパケットデータ伝送を行う無線通信システムにおいて、それぞれ映像音声機器（以下、ＡＶ機器という。）であるソース機器とシンク機器との間におけるＲＴＴを判定するための方法ならびにそれを用いたソース機器及び制御装置に関する。
【手続補正４】
【補正対象書類名】明細書
【補正対象項目名】００２０
【補正方法】変更
【補正の内容】
【００２０】
本発明の目的は以上の問題点を解決し、ソース機器とシンク機器との間におけるＲＴＴを、従来技術に比較して確実に且つ正確に測定して判定できる、ＲＴＴ判定方法ならびにそれを用いたソース機器及び制御装置を提供することにある。
【手続補正５】
【補正対象書類名】明細書
【補正対象項目名】００３９
【補正方法】変更
【補正の内容】
【００３９】
本発明に係るパケット往復時間ＲＴＴの判定方法、ソース機器及び制御装置によれば、ソース機器は、上記シンク機器との間の無線通信を制御する第１の制御手段を備え、上記第１の制御手段は、上記シンク機器へのパケット往復時間ＲＴＴを測定するときに、往復パケット用の帯域割り当てを要求する帯域幅要求コマンド信号を、上記帯域管理手段に送信する。これに応答して、帯域管理手段は、上記ソース機器から上記シンク機器に第１のパケットを送信するための第１の予約期間と、上記シンク機器から上記ソース機器に第２のパケットを返信するための第２の予約期間とを所定のフレーム期間内に割り当て、上記第１及び上記第２の予約期間を上記第１の制御手段に通知し、上記第１の制御手段は、上記第１の予約期間の開始タイミングである第１のタイミングにおいて、上記第１のパケットを送信するとともにパケット往復時間ＲＴＴの測定を開始し、上記第２のパケットを受信した第２のタイミングにおいてパケット往復時間ＲＴＴの測定を終了し、上記第１及び第２のタイミングの時間差に基づいてパケット往復時間ＲＴＴを算出する。従って、本従来技術に比較して、正確に且つ確実にパケット往復時間ＲＴＴ測定できる。
【手続補正６】
【補正対象書類名】明細書
【補正対象項目名】０１０１
【補正方法】変更
【補正の内容】
【０１０１】
以上詳述したように、本発明に係るパケット往復時間ＲＴＴの判定方法、ソース機器及び制御装置によれば、ソース機器は、上記シンク機器との間の無線通信を制御する第１の制御手段を備え、上記第１の制御手段は、上記シンク機器へのパケット往復時間ＲＴＴを測定するときに、往復パケット用の帯域割り当てを要求する帯域幅要求コマンド信号を、上記帯域管理手段に送信する。これに応答して、帯域管理手段は、上記ソース機器から上記シンク機器に第１のパケットを送信するための第１の予約期間と、上記シンク機器から上記ソース機器に第２のパケットを返信するための第２の予約期間とを所定のフレーム期間内に割り当て、上記第１及び上記第２の予約期間を上記第１の制御手段に通知し、上記第１の制御手段は、上記第１の予約期間の開始タイミングにおいて、上記第１のパケットを送信するとともにパケット往復時間ＲＴＴの測定を開始し、上記第２のパケットを受信したときにパケット往復時間ＲＴＴの測定を終了する。従って、従来技術に比較して、正確に且つ確実にパケット往復時間ＲＴＴ測定できる。本発明は特に、例えば、ワイヤレスＨＤ（Wireless High-Definition）などの無線通信規格に準拠した無線通信システムにおいて、著作権の保護が必要なコンテンツデータ伝送のＲＴＴ測定に利用できる。